(57)【要約】【課題】簡単な構成によってセキュリティの高い解除操作パターンの設定および変更の操作を行うことができる携帯型情報処理装置を提供する。【解決手段】スマートフォン（１）の側面に、複数のセンサー部（３ａ）が配列され、画面ロックを解除するユーザの解除操作パターンを設定する際に、任意のセンサー部（３ａ）について、ユーザがタッチした回数または長押しの操作が検出される。【選択図】図１
2014059767.tif 000002
【特許請求の範囲】
【請求項１】
タッチパネルを備えた本体と、
上記本体の側面に配列された複数のセンサー部であって、画面ロックを解除するユーザの解除操作パターンを設定するためのユーザーの入力操作を検出する複数のセンサー部と、
上記複数のセンサー部のうちの任意のセンサー部について、ユーザがタッチした回数またはタッチした時間を検出するとともに、そのタッチした時間が基準時間を超えた場合に、上記任意のセンサー部が長押しされたと判定するパターン制御部とを備えていること
を特徴とする携帯型情報処理装置。
【請求項２】
上記パターン制御部は、ユーザの上記解除操作パターンの設定開始に関する指示が入力されたことに応じて、上記タッチパネルの画面に、パターン入力画面を表示するとともに、上記複数のセンサー部に対するユーザの入力操作の仕方に応じて異なる図形パターンを、上記解除操作パターンとして上記パターン入力画面に表示すること
を特徴とする請求項１に記載の携帯型情報処理装置。
【請求項３】
上記複数のセンサー部に対するユーザの入力操作の仕方を記憶する記憶部と、
上記記憶部に記憶された入力操作と同じ入力操作を、ユーザが、上記複数のセンサー部に対して行ったかどうかを判定するパターン照合部とをさらに備え、
上記複数のセンサー部に対して同じ入力操作が行われたと、上記パターン照合部が判定したことに応じて、上記パターン制御部は、上記入力操作を上記解除操作パターンとして設定すること
を特徴とする請求項２に記載の携帯型情報処理装置。
【請求項４】
上記複数のセンサー部に対するユーザの入力操作の仕方を、上記解除操作パターンとして設定して記憶する記憶部と、
上記記憶部に記憶された上記解除操作パターンに対応する入力操作と同じ入力操作を、ユーザが、上記複数のセンサー部に対して行ったかどうかを判定するパターン照合部とをさらに備え、
上記複数のセンサー部に対して同じ入力操作が行われたと、上記パターン照合部が判定したことに応じて、上記パターン制御部は、上記解除操作パターンの設定をし直すユーザの入力操作を受け付ける処理を開始すること
を特徴とする請求項２に記載の携帯型情報処理装置。
【請求項５】
ユーザの上記解除操作パターンの設定開始に関する上記指示は、上記複数のセンサー部の少なくとも１つに所定の操作を加えることである請求項２から４のいずれか１項に記載の携帯型情報処理装置。
【請求項６】
上記パターン制御部は、上記タッチパネルの画面に、上記パターン入力画面を表示するときに、上記側面における上記センサー部の位置をユーザに視認させる表示処理を行うこと
を特徴とする請求項２から５のいずれか１項に記載の携帯型情報処理装置。
【発明の詳細な説明】
【技術分野】
【０００１】
本発明は、携帯型情報処理装置の画面ロックを解除するユーザの解除操作パターンを設定する技術に関する。
【背景技術】
【０００２】
近年、ハードウェア的なキーをほとんど持たず、もっぱら画面上のアイコンやソフトウェアキーボードをタッチすることによって主要な操作が行えるタブレット型端末のようなフルタッチ型の携帯型情報処理装置が普及している。スマートフォンまたは電子書籍リーダーなどに代表されるような携帯型情報処理装置は、通常、後述する画面ロックと呼ばれる機能を備えている。
【０００３】
具体的には、電源が入った状態でも携帯型情報処理装置に対する操作が一定時間行われないと画面表示が消える。この後、ユーザーが電源ボタンまたは画面にタッチするなどの操作によって、あるいは電話の着信によって、画面表示がオンになると、タッチパネルを介した操作を受け付けないロック画面が表示される。すなわち、携帯型情報処理装置は、ロック状態に制御されている。携帯型情報処理装置を上記のようなロック状態に制御する機能のことを画面ロックと呼んでいる。ロック状態を解除するためには、ユーザーは特定のロック解除操作をする必要がある。
【０００４】
このような画面ロックは、搬送途中などにタッチパネルが外部のものと接触することに起因した誤動作、および他人による不正利用を防止するための機能、並びに省電力を図るための機能として設けられている。
【０００５】
また、携帯型情報処理装置の大画面化に伴い、特に片手での操作がしづらいため、近年では、ユーザーがロック画面にタッチしながら、特定のパターンをなぞるように指をスライドさせるようなロック解除操作を行わずに、ロック解除が可能な技術（例えば、顔認証によるロック解除など）も出現している。
【０００６】
下掲の特許文献１には、スライド式の上下筐体間の相対的な位置を検知することによって、タッチパネルをロックする操作またはロックを解除する操作を容易にする技術が開示されている。
【０００７】
具体的には、ユーザーがタッチパネルに触れながら第１筐体を第２筐体に対してスライドさせて携帯型情報処理装置の形態を変化させる操作、または、タッチパネルに触れることなく第１筐体を第２筐体に対してスライドさせて携帯型情報処理装置の形態を変化させる操作のいずれかをすることにより、入力モードを切り換えることができると、同文献１には記載されている。
【０００８】
また、下掲の特許文献２には、タッチパネルに対する直感的な操作によりロック解除を容易にする技術が開示されている。
【０００９】
具体的には、携帯電話機にロック状態が設定されているときにキー操作されると、ロック状態が設定されていることを示す閉じたカーテンのようなオブジェクトがディスプレイに表示される。ここで、画面に対するユーザーのスライド操作が特定の方向になされると、カーテンに隠された背景画像が徐々に表示されるといったように、オブジェクトの表示を更新し、ロック状態を解除することが、同文献２には記載されている。
【００１０】
しかしながら、特許文献１および２に開示された従来のロック解除の操作では、携帯型情報処理装置を片方の手で持ちながら、もう片方の手をロック解除の操作のために使わなければならない。また、ロック解除用パターンの設定および変更の操作も、携帯型情報処理装置を片方の手で持ちながら、もう片方の手をロック解除用パターンの設定および変更の操作のために使わなければならない。したがって、携帯型情報処理装置の支持とロック解除および、ロック解除用パターンの設定および変更の操作とを、全て片手のみで行うことは困難である。
【００１１】
フルタッチ型の携帯型情報処理装置は、大画面化の傾向にあるため、両手を使わずにロック解除用パターンの設定および変更の操作をできるようにし、その操作性を向上させることが課題となっている。
【００１２】
このような課題を解決するため、下掲の特許文献３には、携帯電話機の側面にタッチセンサーを設け、簡易な操作で携帯電話機のロックを解除する技術が開示されている。
【００１３】
具体的には、携帯電話機の１つの側面または複数の側面に、タッチセンサーを構成する複数の電極が設けられている。複数の電極のうち、どの電極がユーザによってタッチされたか、言い換えると、複数の電極のオンオフのパターンが、登録されたパターンと一致するかどうかに応じて、ロック解除の可否を決めることが、同文献３には記載されている。
【先行技術文献】
【特許文献】
【００１４】
【特許文献１】特開２００９−１５７８０９号公報（２００９年７月１６日公開）
【特許文献２】特開２０１２−０４９８７２号公報（２０１２年３月８日公開）
【特許文献３】特開２０１１−０４４９３３号公報（２０１１年３月３日公開）
【発明の概要】
【発明が解決しようとする課題】
【００１５】
しかしながら、特許文献３に開示された構成では、他人が画面ロックを簡単には解除できないようにするセキュリティの向上を、簡単な構成によって図ることは困難であるという問題がある。
【００１６】
なぜなら、携帯電話機の側面に配置した電極のオンオフ（１か０か）のパターンに基づいて、画面ロックの解除の可否を決めるようになっているからである。例えば、電極の数が３つであると仮定すると、どの電極にも触れない場合（０００の場合）を除いて、７通りのパターンしか作ることができず、しかもそのパターンは極めて単純なパターンでしかない。
【００１７】
特許文献３には、電極を１０個設けることにより、パターン数を１０２４通り作ることができること、あるいは、電極を２０個設けることにより、パターン数を１００万以上作れることが開示されている。このように、特許文献３には、セキュリティの向上を、電極の数を多数にすることによって実現するという技術的思想が開示されている。
【００１８】
さらに、電極の数を多数にすれば、画面ロックを解除する操作を片手のみでは行いづらくなるという問題も派生する。
【００１９】
本発明は、上記の課題に鑑みて、画面ロックを解除するユーザの解除操作パターンに関して、簡単な構成によってセキュリティの高い解除操作パターンの設定および変更の操作を行うことができる携帯型情報処理装置を提供することを目的とする。
【課題を解決するための手段】
【００２０】
上記の課題を解決するために、本発明の一態様に係る携帯型情報処理装置は、
(1)タッチパネルを備えた本体と、
(2)上記本体の側面に配列された複数のセンサー部であって、画面ロックを解除するユーザの解除操作パターンを設定するためのユーザーの入力操作を検出する複数のセンサー部と、
(3)上記複数のセンサー部のうちの任意のセンサー部について、ユーザがタッチした回数またはタッチした時間を検出するとともに、そのタッチした時間が基準時間を超えた場合に、上記任意のセンサー部が長押しされたと判定するパターン制御部とを備えていることを特徴としている。
【発明の効果】
【００２１】
本発明の一態様によれば、画面ロックを解除するユーザの解除操作パターンに関して、簡単な構成によってセキュリティの高い解除操作パターンの設定および変更の操作を行うことができる携帯型情報処理装置を提供することができるという効果を奏する。
【図面の簡単な説明】
【００２２】
【図１】本発明に係る携帯型情報処理装置の一例であるスマートフォンの概観を示す斜視図である。
【図２】上記スマートフォンの内部構成を示すブロック図である。
【図３】上記スマートフォンにおける画面ロックの解除操作パターンを新規設定するための制御手順の一例を示すフローチャートである。
【図４】上記スマートフォンにおける解除操作パターンを変更するための制御手順の一例を示すフローチャートである。
【図５】動作モードがロック画面表示モードになっているスマートフォンを示す説明図である。
【図６】動作モードがホーム画面表示モードになっているスマートフォンを示す説明図である。
【図７】動作モードがロック画面表示モードまたはホーム画面表示モードからパターン入力画面表示モードに遷移したスマートフォンを示す説明図である。
【図８】スマートフォンの側面のセンサー部を指でなぞって入力した解除操作パターンの確認画面を示す図である。
【図９】センサー部を指でなぞって、図８で確認した解除操作パターンと同じ解除操作パターンを入力した場合の確認画面を示す図である。
【図１０】側面センサーを指でなぞって登録済みの解除操作パターンを入力したときのパターン入力画面を示す図である。
【図１１】パターン確認画面の表示モードから遷移した後の操作選択画面の表示モードを示す説明図である。
【図１２】側面センサーを指でなぞって改めて入力した解除操作パターンの確認画面を示す図である。
【図１３】パターン確認画面の表示モードから遷移した後のパターン入力画面の表示モードを示す説明図である。
【図１４】センサー部を指でなぞって、図１２で確認した解除操作パターンと同じ解除操作パターンを入力した場合の確認画面を示す図である。
【発明を実施するための形態】
【００２３】
本発明の携帯型情報処理装置に関する実施の一形態について図１〜図１４に基づいて説明すれば以下のとおりである。
【００２４】
（携帯型情報処理装置の外観上の構成）
図１は、本発明に係る携帯型情報処理装置の一例であるスマートフォン１の概観を示す斜視図である。図１に示すように、スマートフォン１は、タッチパネルを備えた本体２と、本体２の側面に設けられた側面センサー３とを備えている。上記側面センサー３は、複数のセンサー部３ａを備え、当該複数のセンサー部３ａは、上記側面に配列されている。本実施形態では、側面センサー３として３つのセンサー部３ａ1、３ａ2、３ａ3が配列されているとする。
【００２５】
複数のセンサー部３ａは、画面ロックを解除するユーザーの入力操作を検出するとともに、画面ロックを解除するユーザの解除操作パターンを設定するためのユーザーの入力操作を検出する。
【００２６】
なお、センサー部３ａは、より具体的には、例えば静電容量方式のタッチセンサーを構成する電極であり、上記側面の内部に埋設されている。
【００２７】
したがって、センサー部３ａは、上記側面に露出しているわけではないので、センサー部３ａの存在がユーザーに分かるように、側面のケース部材がデザインされている。例えば、ケース部材の色とは異なる色を用いて、センサー部３ａの位置を示すマークをケース部材に付けたり、センサー部３ａに対応するように、ケース部材に局所的なざらつきを持たせたりすればよい。
【００２８】
また、図７等を参照して後述するように、複数のセンサー部３ａのそれぞれの近くにＬＥＤを設置したり、ＬＥＤによって、各センサー部３ａの円周を光らせたり、あるいは、画面内の各センサー部３ａの近傍領域を発光させる（高輝度にする）ことにより、センサー部３ａの位置を視覚化させてもよい。
【００２９】
本実施形態に係る携帯型情報処理装置は、上記タッチパネルを介したタッチ操作と、上記側面センサー３を介した操作とを、ユーザーが片手で行うことが可能なサイズを有している。
【００３０】
なお、上記側面に、画面表示のオフ状態を解除し、ロック画面を表示させるための電源キー４（操作部）を設けてもよい。
【００３１】
（携帯型情報処理装置の内部構成）
図２は、上記スマートフォン１の内部構成を示すブロック図である。図２に示すように、スマートフォン１は、スマートフォン１の各種制御動作に関わる構成として、中央制御部１０、タッチパネル１１に接続されたタッチパネル制御回路１２、側面センサー３に接続された側面センサー制御回路１３、パターン設定部１４、パターン照合部１５、ロック解除部１６、ディスプレイ１７を駆動する表示ドライバ１８を備えている。
【００３２】
タッチパネル制御回路１２、側面センサー制御回路１３、パターン設定部１４、パターン照合部１５、ロック解除部１６および表示ドライバ１８は、中央制御部１０に接続されている。
【００３３】
また、その他の構成として、中央制御部１０には、上記電源キー４、無線通信回路１９、フラッシュメモリ２０（記憶部）およびＲＡＭ２１（記憶部）が接続されている。
【００３４】
中央制御部１０は、スマートフォン１の動作全体を統括して制御し、パターン設定部１４、パターン照合部１５およびロック解除部１６と合わせてプロセッサとして構成されている。
【００３５】
タッチパネル１１に指などのポインターが触れると、タッチパネル１１は、ポインターの位置に応じた静電容量または電気抵抗などの変化を示す信号を、タッチパネル制御回路１２に出力する。
【００３６】
タッチパネル制御回路１２は、タッチパネル１１が出力する信号から、タッチパネル１１に触れたポインターの位置を特定し、その位置を示す座標データを生成して、中央制御部１０に出力する。なお、タッチパネル制御回路１２は、パターン設定部１４とともに、パターン制御部を構成している。
【００３７】
側面センサー３は、前述のように、複数のセンサー部３ａの配列を備えているので、側面センサー３のエリアにおいて指の触れた位置に対応するセンサー部３ａが、静電容量の変化を示す信号を、側面センサー制御回路１３に出力する。
【００３８】
側面センサー制御回路１３は、センサー部３ａから出力される信号を検出し、側面センサー３のエリアを指がどのようにタッチしたかを表すタッチデータを生成して、中央制御部１０に出力する。このタッチデータは、複数のセンサー部３ａをどのような順序で、１つずつのセンサー部３ａを何回ずつタッチしたか、および、１つずつのセンサー部３ａにどのくらいの時間タッチしたかというデータを含んでいる。
【００３９】
パターン設定部１４は、側面センサー制御回路１３によって検出されたタッチデータを中央制御部１０から受け取り、画面ロックを解除するユーザの解除操作パターンデータを作成する。この解除操作パターンデータの作成に際して、上記複数のセンサー部３ａのうちの任意のセンサー部３ａについて、ユーザがタッチした時間と基準時間とを比較する。その結果、ユーザがタッチした時間が基準時間を超えた場合に、上記任意のセンサー部３ａが長押しされたと判定する。
【００４０】
このように、解除操作パターンデータは、複数のセンサー部３ａをどのような順序で、１つずつのセンサー部３ａを何回ずつタッチしたか、および、どのセンサー部３ａが長押しされたかを示すデータを含んでいる。パターン設定部１４は、作成した解除操作パターンデータをフラッシュメモリ２０またはＲＡＭ２１などの記憶部に記憶させる。
【００４１】
さらに、パターン設定部１４は、ユーザの上記解除操作パターンの設定開始に関する指示がスマートフォン１に入力されたことに応じて、タッチパネル１１の画面に、パターン入力画面（図７参照）を表示するとともに、複数のセンサー部３ａに対するユーザの入力操作の仕方に応じて異なる図形パターンを、上記解除操作パターンとして上記パターン入力画面に表示する処理も行う。この図形パターンの表示に関する詳細な動作については、後述する。
【００４２】
パターン照合部１５は、上記記憶部に記憶された解除操作パターンが作成されたときの入力操作と同じ入力操作を、ユーザが、複数のセンサー部３ａに対して行ったかどうかを判定する。すなわち、ユーザが複数のセンサー部３ａに対して入力操作を行い、その入力操作に対応した解除操作パターンが、タッチパネル制御回路１２およびパターン設定部１４によって作成されると、パターン照合部１５は、作成された解除操作パターンと、上記記憶部に記憶された解除操作パターンとを照合する。
【００４３】
ロック解除部１６は、中央制御部１０が画面ロックの制御モードになっている場合に、パターン照合部１５が解除操作パターンの一致を判定したとき、画面ロックを解除する指示を中央制御部１０に送る。
【００４４】
フラッシュメモリ１９には、スマートフォン１の動作を制御する各種のプログラムおよび書き換えが不要な固定的な各種データが記憶されているとともに、スマートフォン１において表示ないし出力される文字、画像、音声および映像などのコンテンツデータが記録される。上記各種のプログラムには、スマートフォン１の画面ロックを有効にするプログラムと、画面ロックを解除するプログラムと、解除操作パターンを設定または変更するプログラムが含まれている。
【００４５】
ＲＡＭ２１は、主として中央制御部１０の作業領域およびバッファ領域として用いられる。
【００４６】
（解除操作パターンの新規設定の制御動作）
以下、スマートフォン１における画面ロックの解除操作パターンの新規設定の制御動作について、図３、図５から図９を参照して説明する。
【００４７】
図３は、スマートフォン１における解除操作パターンを新規設定するための制御手順の一例を示すフローチャートである。図５は、動作モードがロック画面表示モードになっているスマートフォン１を示す説明図である。図６は、動作モードがホーム画面表示モードになっているスマートフォン１を示す説明図である。
【００４８】
図７は、動作モードがロック画面表示モードまたはホーム画面表示モードからパターン入力画面表示モードに遷移したスマートフォン１を示す説明図である。図８は、スマートフォン１の側面のセンサー部３ａを指でなぞって入力した解除操作パターンの確認画面を示す図である。図９は、センサー部を指でなぞって、図８で確認した解除操作パターンと同じ解除操作パターンを入力した場合の確認画面を示す図である。
【００４９】
図５に示すように、スマートフォン１の動作モードがロック画面表示モードになると、一定時間後にディスプレイ１７の光源（バックライト）が消灯するとともに、タッチパネル１１を介したユーザー操作を受け付けない画面ロックの状態に遷移する。ロック画面の下部には、ロック解除のユーザー操作を受け付けるアイコン３１が表示されている。アイコン３１の表示は必須ではないが、本実施形態では、ロック解除の操作を、ユーザーが側面センサー３で行うこともできるし、アイコン３１で行うこともできるようにしている。
【００５０】
画面ロックの状態では、中央制御部１０は電力の供給を受けているが、タッチパネル１１および側面センサー３に対する電圧印加がオフに制御されている。
【００５１】
図５に示すように、スマートフォン１を片手で保持しているユーザーが、ロック画面の表示状態において、解除操作パターンの設定開始に関する指示を入力すると、中央制御部１０は、図３に示す解除操作パターンの新規設定登録をするための制御動作を開始する。
【００５２】
解除操作パターンの設定開始に関する指示の与え方の一例としては、ユーザがスマートフォン１を保持している片手の指で、側面センサー３としての前記センサー部３ａ1、３ａ2、３ａ3のいずれか１つを長押しする操作であってもよい。センサー部３ａ1、３ａ2、３ａ3の少なくとも１つに一定の操作を加えると、側面センサー３が出力する信号が、中央制御部１０に送られ、その一定の操作が中央制御部１０において検出される（ステップ１；以下、Ｓ１のように略記）。
【００５３】
また、解除操作パターンの設定開始に関する指示の与え方の他の例としては、図６に示すホーム画面に表示されたアイコンにタッチする操作であってもよい。例えば、ホーム画面には「設定」アイコンが表示されている。「設定」アイコンを選択するユーザー操作が受け付けられると、「ロックとセキュリティ」タブが表示される。「ロックとセキュリティ」タブを選択するユーザー操作が受け付けられると、続いて「画面のロック」タブが表示される。「画面のロック」タブを選択するユーザー操作が受け付けられると、続いて「パターン」タブが表示される。「パターン」タブを選択するユーザー操作が受け付けられると、中央制御部１０は、解除操作パターンの設定開始に関する指示を認識する。
【００５４】
Ｓ１で、中央制御部１０が、解除操作パターンの設定開始に関する指示を認識すると、中央制御部１０の指示に呼応して、ディスプレイ１７の光源（バックライト）が点灯するとともに、側面センサー３に電圧が印加され、側面センサー３がオンになる。
【００５５】
この結果、スマートフォン１の動作モードは、画面ロックから、図７に示すパターン入力画面を表示するモードに遷移する（Ｓ２）。このとき、パターン設定部１４は、ディスプレイ１７に、パターン入力画面を表示させる指令および表示データを、表示ドライバ１８へ送る。
【００５６】
これにより、図７に示すように、ディスプレイ１７に例えば９つの正方格子点が表示される。同時に、表示ドライバ１８は、側面センサー３の位置をユーザに視認させるための表示処理を行う。例えば、ディスプレイ１７における側面センサー３の近傍の領域が、側面センサー３の配列の長さに対応して、点滅または点灯する。また、センサー部３ａ1、３ａ2、３ａ3の各周囲にＬＥＤを設けている場合、図示しないＬＥＤドライバが、ＬＥＤを点滅または点灯させてもよい。さらに、側面センサー３の近傍の画面に、側面センサー３の位置を示す画像が表示されてもよい。
【００５７】
パターン入力画面の下部には、解除操作パターンの新規設定の取り消しを受け付けるアイコン３２（「キャンセル」アイコン）が表示されている。アイコン３２の表示は必須ではないが、本実施形態では、解除操作パターンの新規設定の操作の取り消しを、ユーザーが側面センサー３で行うこともできるし、アイコン３２で行うこともできるようにしている。
【００５８】
上記Ｓ２の処理に続いて、ユーザーが側面センサー３を指でタッチしたことによる静電容量の変化を示す信号を、タッチパネル制御回路１２が出力したかどうかを中央制御部１０が判定する（Ｓ３）。Ｓ３の判定結果がＮＯの場合には、処理がＳ２へ戻り、静電容量の変化を示す信号の入力を待つ。なお、Ｓ２の開始から一定時間内に、静電容量の変化を示す信号が検出されなければ、解除操作パターンを新規設定するための制御動作を終了するようにしてもよい。
【００５９】
Ｓ３の判定結果がＹＥＳの場合、パターン設定部１４は、側面センサー制御回路１３が出力するタッチデータに基づいて、解除操作パターンデータを作成し、フラッシュメモリ２０またはＲＡＭ２１などの記憶部に記憶させる。
【００６０】
また、パターン設定部１４は、作成した解除操作パターンデータから、パターン入力画面に表示する図形パターンの表示データを作成し、表示ドライバ１８へ送る。これにより、ユーザが側面センサー３に対して入力した解除操作パターンを視覚化した図形パターンが、パターン入力画面に表示される。
【００６１】
図８に、上記図形パターンの表示例を示す。図８には、パターン入力画面に３行３列の正方格子点が表示されているので、各格子点を行列座標で特定することにする。すなわち、３行３列の正方格子点における１列目の上から１番目の格子点の行列座標を（１，１）で表し、ｎ行目かつｍ列目の格子点の行列座標を（ｎ，ｍ）で表す。
【００６２】
以下、パターン設定部１４による図形パターンの表示データの作成について説明する。図８に示すように、ユーザが、まず、センサー部３ａ1から指によるタッチを開始し、その指をセンサー部３ａ2へスライドさせる。この入力操作に呼応して、パターン設定部１４は、格子点（１，１）と格子点（２，１）とに○のようなマークを表示するとともに、格子点（１，１）と格子点（２，１）とを結ぶ軌跡を表示するための表示データを作成する。
【００６３】
次に、ユーザがセンサー部３ａ2を長押しすると、パターン設定部１４は、センサー部３ａ2がタッチされた時間が、基準時間を超えたと判定する。この判定に応じて、パターン設定部１４は、１列目に直線状に描かれていた図形パターンをＬ字状の図形パターンに変化させる。すなわち、パターン設定部１４は、さらに格子点（２，２）に○のようなマークを表示するとともに、格子点（２，１）と格子点（２，２）とを結ぶ、横に延びる軌跡を表示するための表示データを作成する。
【００６４】
これにより、ユーザは、あたかも、タッチパネル１１の画面上で、Ｌ字状のタッチパターンを指でなぞったかのように、側面センサー３に対する入力操作を視覚的に確認することができる。
【００６５】
以下同様に、センサー部３ａ1、３ａ2、３ａ3に対してタッチした指をスライドさせたときには、パターン入力画面では、縦に配列した格子点にマークと軌跡とが表示される。一方、センサー部３ａ1、３ａ2、３ａ3のいずれかをユーザが長押ししたときには、パターン入力画面では、横に配列した格子点にマークが表示されるとともに、軌跡が横に延びて表示される。
【００６６】
図８に表示された図形パターンは、ユーザが側面センサー３に対して、次のような入力操作を行った結果に対応している。
３ａ1→３ａ2（長押し）→３ａ1（長押し）→３ａ2→３ａ3
なお、→は指のスライドを表している。
【００６７】
このように、側面センサー３に対する入力操作に呼応して、パターン入力画面に図形パターンを表示する利点は次のとおりである。
【００６８】
側面センサー３にタッチして解除操作パターンを設定する操作（以下、パターン設定操作という）は、ユーザの指の触覚に大きく依存している。この場合、ユーザがどのような解除操作パターンを設定しようとしているのかが、ユーザ自身にとって判りづらい。
【００６９】
これに対し、上記図形パターンの表示によって、上記パターン設定操作を視覚化することができる。したがって、ユーザは、パターン入力画面に表示された図形パターンを確認しながら、解除操作パターンを設定できるので、解除操作パターンの設定を容易かつ確実に行うことができる。
【００７０】
以上で、解除操作パターンを作成するための一連の入力操作は完了する。パターン設定部１４は、作成した解除操作パターンデータを記憶部（例えばＲＡＭ２１）に記憶させる。しかし、この段階では、記憶部に記憶された解除操作パターンデータは一時的なデータであり、正式な解除操作パターンデータとして未登録である。これは、作成された解除操作パターンに対応する入力操作を再現できるかをユーザに確認させる処理を行うことが好ましいからである。
【００７１】
そのために、図形パターンの表示が完了すると、処理がＳ４からＳ５へ移行する。
【００７２】
Ｓ５では、パターン入力画面に表示中の図形パターンに対応した入力操作をユーザが側面センサー３に対してもう一度行う。パターン設定部１４は、この入力操作に対する解除操作パターンデータを作成し、パターン照合部１５へ送る。
【００７３】
なお、Ｓ５において、Ｓ４の処理が終了した時点から一定時間内に、ユーザによる再入力操作が行われなかった場合には、解除操作パターンの新規設定登録をするための制御動作を終了するようにしてもよい。
【００７４】
パターン照合部１５は、パターン設定部１４から送られた解除操作パターンデータと、記憶部に記憶された解除操作パターンデータとを照合し、両者が一致しているかどうかを判定する。両者が一致している場合には、その結果を、パターン照合部１５からパターン設定部１４へ送る。これにより、パターン照合部１５は、記憶部に記憶された解除操作パターンデータを、正式な解除操作パターンデータとして登録する（Ｓ６）。
【００７５】
登録完了と共に、側面センサー３の近傍の発光を消灯させてもよい。以上で、解除操作パターンの新規設定の制御動作が終了する。
【００７６】
なお、パターン入力画面の下部に、「次へ」アイコン３３と、「やり直す」アイコンとを表示してもよい。解除操作パターンの作成途中で解除操作パターンの作成をやり直したい場合、ユーザが「やり直す」アイコンにタッチすることによって、解除操作パターンの作成処理をリセットし、Ｓ１へ処理を戻すことができる。
【００７７】
「次へ」アイコン３３は、解除操作パターンを設定するスマートフォン１のアプリケーションを別のアプリケーションに変えて、別のアプリケーションについて解除操作パターンを設定する場合に、ユーザがタッチするものである。
【００７８】
さらに、解除操作パターンデータの登録時に、図９に示すように、スマートフォン１の動作モードがパターン確認画面表示モードに移行するようにしてもよい。図９に示すパターン確認画面の下部には、例えば「確認」アイコン３４と「キャンセル」アイコンとが表示されている。この形態では、ユーザが「確認」アイコン３４にタッチすることによって、パターン照合部１５が、記憶部に記憶された解除操作パターンデータを、正式な解除操作パターンデータとして登録する。登録する処理としては、例えば、解除操作パターンを設定するアプリケーションと関連付けた識別子を解除操作パターンデータに付加するなどが考えられる。
【００７９】
また、ユーザがもう一度入力操作を確認したい場合などには、「キャンセル」アイコンにタッチすると、パターン確認画面表示モード（図９）からパターン入力画面表示モード（図８）へ戻るようにしてもよい。
【００８０】
（解除操作パターンの新規設定の変形例）
図８には、３行３列の格子点を表示した例を示したが、本発明は、この形態に限定されるものではない。すなわち、側面に配列されたセンサー部の数を３つとする場合には、３行ｍ列として、ｍの数をさらに増やし、センサー部３ａ1、３ａ2、３ａ3のいずれかを多回数長押しする場合に対応できるようにしてもよい。そのｍの値に上限はない。
【００８１】
例えば、図８に示す図形パターンにおいて、最後にタッチされたセンサー部３ａ3をさらに長押しした場合、４列目に配列された格子点に対して図形パターンを作ることができる。そのセンサー部３ａ3をさらに長押しした場合、５列目に配列された格子点に対して図形パターンを作ることができる。以下同様である。
【００８２】
このように、側面センサー３に対する指のスライドだけではなく、側面センサー３に対する長押しを加えることによって、側面に配列されたセンサー部の数がたった３つでありながら、解除操作パターンの数の無限に増やすことができる。
【００８３】
なお、行数は、側面に配置したセンサー部の数を増やすことに対応して増やすことができるのはいうまでもない。
【００８４】
また、センサー部を長押しする代わりに、同じセンサー部を連続してタップした場合にも、長押しの場合と同じ結果が得られるようにしてもよい。この形態では、パターン設定部１４は、センサー部がタッチされた時間を計測するのではなく、センサー部がタップされた回数を計測することになる。これにより、例えば、図８の図形パターンに対応する解除操作パターンデータとして、＜３ａ1、３ａ2、３ａ2、３ａ1、３ａ1、３ａ2、３ａ3＞のようなデータをパターン設定部１４は作成することができる。
【００８５】
このタップ操作を用いた形態においても、解除操作パターンの数を無限に増やすことができる。
【００８６】
（解除操作パターンの変更の制御動作）
以下、スマートフォン１における解除操作パターンの変更の制御動作について、図４〜７、図１０〜図１４を参照して説明する。
【００８７】
図４は、スマートフォン１における解除操作パターンを変更するための制御手順の一例を示すフローチャートである。図１０は、側面センサー３を指でなぞって登録済みの解除操作パターンを入力したときのパターン確認画面を示す図である。図１１は、パターン確認画面の表示モードから遷移した後の操作選択画面の表示モードを示す説明図である。図１２は、側面センサー３を指でなぞって改めて入力した解除操作パターンの確認画面を示す図である。図１３は、パターン確認画面の表示モードから遷移した後のパターン入力画面の表示モードを示す説明図である。図１４は、センサー部を指でなぞって、図１２で確認した解除操作パターンと同じ解除操作パターンを入力した場合の確認画面を示す図である。
【００８８】
図４に示すＳ１１〜Ｓ１２の処理は、図３に示すＳ１〜Ｓ２の処理と同一なので、その説明を省略する。
【００８９】
Ｓ１３では、ユーザーは側面センサー３に対し、登録済の解除操作パターンに対応する入力操作を行う。側面センサー制御回路１３は、側面センサー３における静電容量の変化を検出し、この入力操作に対応するタッチデータをパターン設定部１４へ送る。パターン設定部１４は、受け取ったタッチデータに基づいて解除操作パターンデータを作成し、解除操作パターンを表す図形パターンの表示データを作成し、表示ドライバ１８へ送る。
【００９０】
これにより、図１０に示すように、パターン入力画面に、ユーザが行った入力操作に対応する図形パターンが表示される。
【００９１】
また、パターン設定部１４は、作成した解除操作パターンをパターン照合部１５へ送る。パターン照合部１５は、受け取った解除操作パターンデータと、記憶部に登録された解除操作パターンデータとを照合し、両者が一致するかどうかを判定する。両者の一致が判定された場合、その結果が、パターン照合部１５から中央制御部１０へ送られる。この結果、中央制御部１０は、表示モードを、パターン入力画面の表示モード（図１０）から操作選択画面の表示モード（図１１）へ遷移させる。この表示モードの遷移は、解除操作パターンの設定をし直すユーザの入力操作を受け付ける更新モードに、制御モードが移行したことに相当する。言い換えると、パターン設定部１４が、解除操作パターンの設定をし直すユーザの入力操作を受け付ける処理を開始することに相当する。
【００９２】
図１１に示す操作選択画面には、ユーザが選択可能な各種の操作名が表示されている。その操作名の中で「パターン」の操作名をユーザがタッチすると、解除操作パターンの変更が、中央制御部１０に対して指示されたことになる。
【００９３】
この指示を受けて、中央制御部１０は、表示モードを、操作選択画面の表示モード（図１１）から、パターン入力画面の表示モード（図１２）へ戻す（Ｓ１６）。
【００９４】
続くＳ１７およびＳ１８において、新たな解除操作パターンデータをパターン設定部１４が作成し、表示ドライバ１８に図形パターンを表示させる処理は、図３のＳ３およびＳ４の処理と同じである。
【００９５】
さらに、Ｓ１９において、新たな解除操作パターンを再現してユーザに確認させる処理は、図３のＳ５の処理と同じである。
【００９６】
Ｓ２０では、パターン設定部１４は、記憶部に登録されていた解除操作パターンを新たな解除操作パターンに書き換えて登録し直す。これにより、解除操作パターンの変更の制御動作が終了する。
【００９７】
なお、記憶部に登録されていた解除操作パターンを消去せず、残しておき、ユーザが、必要に応じて過去に登録されていた解除操作パターンを確認できるようにしてもよい。
【００９８】
（まとめ）
上記の課題を解決するために、本発明の一態様に係る携帯型情報処理装置は、
(1)タッチパネルを備えた本体と、
(2)上記本体の側面に配列された複数のセンサー部であって、画面ロックを解除するユーザの解除操作パターンを設定するためのユーザーの入力操作を検出する複数のセンサー部と、
(3)上記複数のセンサー部のうちの任意のセンサー部について、ユーザがタッチした回数またはタッチした時間を検出するとともに、そのタッチした時間が基準時間を超えた場合に、上記任意のセンサー部が長押しされたと判定するパターン制御部（タッチパネル制御回路１２およびパターン設定部１４）とを備えていることを特徴としている。
【００９９】
携帯型情報処理装置を片手で支える場合、その片手の指が本体の側面に触れる持ち方になるのが一般的である。そこで、上記の構成によれば、本体の側面に複数のセンサー部が配列されているので、ユーザーは、携帯型情報処理装置を片手で支えながら、その片手の指でセンサー部の配列に触れることができる。
【０１００】
このとき、パターン制御部は、ユーザが１つのセンサー部にタッチする毎に、１つのセンサー部が何回タッチされたか、あるいは１つのセンサー部がタッチされ続けた時間を検出する。後者の場合には、パターン制御部は、さらに、基準時間を超えない短時間のタッチなのか、基準時間を超える長時間のタッチなのかを判定する。
【０１０１】
したがって、ユーザは、例えば、複数のセンサー部の配列を指で所定の順序でなぞる操作と、複数のセンサー部のいずれかを長押しする操作、または連続してタップする操作とを組み合わせることによって、センサー部の数が例えば３つと少ない構成であっても、無限数の解除操作パターンを設定することができ、かつその設定を片手で容易に行うことができる。
【０１０２】
この結果、簡単な構成によってセキュリティの高い解除操作パターンの設定および変更の操作を行うことができる携帯型情報処理装置を提供することができる。
【０１０３】
ここで、解除操作パターンの設定とは、新規設定の他に、設定した解除操作パターンの変更も含む。
【０１０４】
なお、センサー部を設ける側面は、画面に表示された正立画像の上下方向を基準として、左右方向に対応した左側面または右側面であることが好ましい。
【０１０５】
本発明の一態様に係る携帯型情報処理装置の上記パターン制御部は、ユーザの上記解除操作パターンの設定開始に関する指示が入力されたことに応じて、上記タッチパネルの画面に、パターン入力画面を表示するとともに、上記複数のセンサー部に対するユーザの入力操作の仕方に応じて異なる図形パターンを、上記解除操作パターンとして上記パターン入力画面に表示することを特徴としている。
【０１０６】
上記の構成において、前述したように、複数のセンサー部の配列を指で所定の順序でなぞる操作と、複数のセンサー部のいずれかを長押しする操作などを組み合わせることによって、解除操作パターンを設定する操作（以下、パターン設定操作という）は、ユーザの指の触覚に大きく依存している。この場合、ユーザがどのような解除操作パターンを設定しようとしているのかが、ユーザ自身にとって判りづらい。
【０１０７】
これに対し、パターン制御部を設けたことによって、上記パターン設定操作を視覚化することができる。つまり、解除操作パターンの設定開始に関する指示が入力されると、パターン制御部が動作して、タッチパネルの画面に、パターン入力画面を表示する。パターン入力画面には、複数のセンサー部を用いたパターン設定操作に対応した図形パターンが表示される。
【０１０８】
したがって、ユーザは、パターン入力画面に表示された図形パターンを確認しながら、解除操作パターンを設定できるので、解除操作パターンの設定を容易かつ確実に行うことができる。
【０１０９】
本発明の一態様に係る携帯型情報処理装置は、
(1)上記複数のセンサー部に対するユーザの入力操作の仕方を記憶する記憶部（フラッシュメモリ２０またはＲＡＭ２１）と、
(2)上記記憶部に記憶された入力操作と同じ入力操作を、ユーザが、上記複数のセンサー部に対して行ったかどうかを判定するパターン照合部とをさらに備え、
(3)上記複数のセンサー部に対して同じ入力操作が行われたと、上記パターン照合部が判定したことに応じて、上記パターン制御部は、上記入力操作を上記解除操作パターンとして設定することを特徴としている。
【０１１０】
上記の構成において、前述したように、複数のセンサー部を用いたパターン設定操作は、ユーザの指の触覚に大きく依存しているため、複数のセンサー部をユーザが指でどのように触ったかの再確認を行うことが好ましい。この再確認は、パターン設定操作に対応した図形パターンをパターン入力画面によってユーザが確認できるとしても、行うことが好ましい。
【０１１１】
そこで、上記の構成によれば、センサー部に対するユーザの入力操作の仕方は、記憶部に記憶され、記憶部に記憶された入力操作と同じ入力操作を、ユーザが、上記複数のセンサー部に対して行ったかどうかをパターン照合部が判定するようになっている。
【０１１２】
前述のパターン制御部は、センサー部に対してユーザが同じ仕方の入力操作を繰り返したときに、その入力操作を正式に受け付ける、すなわち、その入力操作を上記解除操作パターンとして設定（登録）する。
【０１１３】
これにより、ユーザは、センサー部に対するパターン設定操作が曖昧なまま、解除操作パターンが設定されてしまうおそれを回避でき、センサー部に対するパターン設定操作を再確認した上で、解除操作パターンの設定を行うことができる。
【０１１４】
本発明の一態様に係る携帯型情報処理装置は、
(1)上記複数のセンサー部に対するユーザの入力操作の仕方を、上記解除操作パターンとして設定して記憶する記憶部（フラッシュメモリ２０またはＲＡＭ２１）と、
(2)上記記憶部に記憶された上記解除操作パターンに対応する入力操作と同じ入力操作を、ユーザが、上記複数のセンサー部に対して行ったかどうかを判定するパターン照合部とをさらに備え、
(3)上記複数のセンサー部に対して同じ入力操作が行われたと、上記パターン照合部が判定したことに応じて、パターン制御部が、上記解除操作パターンの設定をし直すユーザの入力操作を受け付ける処理を開始することを特徴としている。
【０１１５】
上記の構成における前提条件として、前述したように、ユーザの上記解除操作パターンの設定開始に関する指示が入力されたことに応じて、上記タッチパネルの画面に、パターン入力画面が表示された状態となっている。
【０１１６】
この状態で、ユーザが、記憶部に設定して記憶された入力操作（前記パターン設定操作）と同じ入力操作を行ったときに、パターン制御部は、上記解除操作パターンの設定をし直すユーザの入力操作を受け付ける処理を開始する。
【０１１７】
これにより、パターン入力画面が表示された状態において、ユーザは、解除操作パターンに対応する入力操作と同じ入力操作を、上記複数のセンサー部に対して行うだけで、解除操作パターンの設定をし直す入力操作を開始することができる。これにより、解除操作パターンの再設定に関する操作性が向上する。
【０１１８】
本発明の一態様に係る携帯型情報処理装置において、ユーザの上記解除操作パターンの設定開始に関する上記指示は、上記複数のセンサー部の少なくとも１つに所定の操作を加えることであってもよい。
【０１１９】
ここで、所定の操作とは、センサー部の少なくとも１つを長押しする、あるいは、センサー部の少なくとも１つを連続して２回以上タッチする等、センサー部に一定の操作を加えることである。
【０１２０】
上記の構成によれば、ユーザーは、携帯型情報処理装置を支持している片手の指を用いて、センサー部へ所定操作を行うだけで、パターン入力画面に移行できる。これにより、片手の指を用いて、スピーディにパターン入力画面を表示できる。その結果、画面ロックの解除操作パターンの設定に関する操作が一層容易となる。
【０１２１】
本発明の一態様に係る携帯型情報処理装置の上記パターン制御部は、上記タッチパネルの画面に、上記パターン入力画面を表示するときに、上記側面における上記センサー部の位置をユーザに視認させる表示処理を行ってもよい。
【０１２２】
上記の構成によれば、上記パターン入力画面を表示しながら、複数のセンサー部を用いたパターン設定操作をユーザが行うときに、携帯型情報処理装置の側面のセンサー部の位置をユーザに視認させる表示処理を行う。
【０１２３】
したがって、ユーザは、側面におけるセンサー部の位置を触覚または勘に頼るだけではなく、視覚的に確認することもできる。これにより、側面のセンサー部の位置を間違えるという誤操作の発生を防止しつつ、画面ロックの解除に関する操作を容易にすることができる。
【０１２４】
なお、上記表示処理として、センサー部の各周囲に取り付けられたＬＥＤを光らせることや、パターン入力画面において、センサー部の各位置に対応したセンサー部近くの領域を光らせることなどを挙げることができる。
【０１２５】
本発明は上述した実施形態および補足例に限定されるものではなく、請求項に示した範囲で種々の変更が可能であり、実施形態および補足例にそれぞれ開示された技術的手段を適宜組み合わせて得られる実施形態についても本発明の技術的範囲に含まれる。
【産業上の利用可能性】
【０１２６】
本発明は、画面ロックの機能を備えた携帯型情報処理装置全般に適用することができる。
【符号の説明】
【０１２７】
１  スマートフォン（携帯型情報処理装置）
２  本体
３  側面センサー
３a1、３ａ2、３ａ3  センサー部
１１  タッチパネル
１２  タッチパネル制御回路（パターン制御部）
１４  パターン設定部（パターン制御部）
１５  パターン照合部
１７  ディスプレイ
２０  フラッシュメモリ（記憶部）
２１  ＲＡＭ（記憶部）
【図１】
2014059767.tif 000003
【図２】
2014059767.tif 000004
【図３】
2014059767.tif 000005
【図４】
2014059767.tif 000006
【図５】
2014059767.tif 000007
【図６】
2014059767.tif 000008
【図７】
2014059767.tif 000009
【図８】
2014059767.tif 000010
【図９】
2014059767.tif 000011
【図１０】
2014059767.tif 000012
【図１１】
2014059767.tif 000013
【図１２】
2014059767.tif 000014
【図１３】
2014059767.tif 000015
【図１４】
2014059767.tif 000016